(57)【要約】【課題】フィルター交換作業の便宜を図る。【解決手段】スライド枠１０は、取付ネジ１４にてウェザーカバー２の本体に対して回動可能に取り付けられる。天板４の開口部端の中央部分には、折り返し部の先端にてスライド枠１０を支持する取付金具１８が配設されている。フィルターの交換作業者が、取付金具１８の折り返し部分を取付金具１８が閉じるように指で押し、これにより折り返し部の先端がスライド枠１０の開口部２２に入り込むと、取っ手２０を引き下げることでスライド枠１０を開く。交換作業者は、続いてスライド枠１０のスライド溝に嵌装されているフィルターユニットを引き出し、フィルターを交換する。また、交換作業者が交換後のフィルターユニットをスライド枠１０のスライド溝に挿着した後スライド枠１０を押し上げると、スライド枠１０は、取付金具１８によりラッチされる。【選択図】図２
2008111641.tif 000002
【特許請求の範囲】
【請求項１】
建造物側壁の通気口の周囲を囲むように外壁側面に取り付けられ、取付時に下方を向く矩形形状の開口端と前記通気口との間に通風路を形成する本体部と、
前記通気口から建造物内への異物進入を阻止する平板形状のフィルターユニットと、
前記フィルターユニットを着脱可能に保持する枠体と、
前記本体部に取り付けられた状態の前記枠体を保持することで前記枠体を前記本体部の開口端近傍に配設するワンタッチ式保持機構と、
を有し、
前記ワンタッチ式保持機構は、
前記枠体の一部を前記本体部に取り付ける枠固定機構と、
係止することで前記枠体を前記本体部に取り付けられた状態にすると共に、ユーザにより開放操作されることに応じて係止していた前記枠体を開放する取付部と、
を有し、ユーザの前記操作部材に対する開放操作により前記フィルターユニットを着脱可能な状態にすることを特徴とするウェザーカバー。
【請求項２】
前記枠固定機構は、前記枠体を前記本体部への取付位置と前記フィルターユニットの交換作業位置との間で回動可能に前記本体部に固定する固定器具を有し、
前記取付部は、可暁性を有する部材で形成され、前記本体部開口端近傍において前記枠固定部の配設面と対向する面に配設された係止片を有し、
前記枠体は、係止状態の前記枠体を開放する方向に前記係止片を撓ませる開放操作により前記ワンタッチ式保持機構から開放されることを特徴とする請求項１記載のウェザーカバー。
【請求項３】
前記枠体は、前記フィルターユニットの着脱方向に沿った枠面に設けられた１対のスライド溝を有し、
前記フィルターユニットは、前記スライド溝に嵌装されることを特徴とする請求項１記載のウェザーカバー。
【請求項４】
前記本体部又は前記枠体に前記フィルターユニットを着脱可能に連結する落下防止機構を有することを特徴とする請求項１記載のウェザーカバー。
【請求項５】
前記落下防止機構は、
前記本体部又は前記枠体に固定される固定部と、
前記フィルターユニットの一部分を着脱可能に係止する係止部と、
を有することを特徴とする請求項４記載のウェザーカバー。
【請求項６】
前記フィルターユニットは、
相対的に細かな異物を除去するフィルターと、
前記フィルターを狭持し、相対的に大きな異物を除去する１対の網体と、
を有することを特徴とする請求項１記載のウェザーカバー。
【発明の詳細な説明】
【技術分野】
【０００１】
本発明は、ウェザーカバー、特にフィルターユニットの取付構造に関する。
【背景技術】
【０００２】
ビル等の建造物には、給気、排気若しくは給排気のために建造物側壁に通気口が形成され、その通気口部分に換気扇を取り付ける場合が少なくない。ただ、そのままの状態では、通気口から雨水が浸入するおそれがあるため、これを防ぐためにウェザーカバーを取り付けるのが一般的である。ウェザーカバーは、下方に向いた開口部を有しており、建造物の側通気口の周囲を囲むように取り付けられることで、通気口と開口部との間に通風路を形成する。つまり、通風路を確保すると共に開口部分を下方に向ける。このようにして、上方からの雨水の浸入を防ぐようにしている。
【０００３】
また、特に給気の場合、虫等の生物の侵入を防ぐ防虫網や防鳥網、更には小さなゴミや塵埃の吸入を防ぐためにフィルターをウェザーカバーに取り付けることが一般的である。
【０００４】
従来においては、フィルターユニットをウェザーカバーの屋外側開口部近傍にネジ止めしているが、フィルター交換の便宜を図るために、例えば屋外側のみならず屋内側、更には屋内外側の双方からフィルターユニットが取外可能なウェザーカバーが提案されている（特許文献１）。
【０００５】
【特許文献１】実開平１−１４８５４３号公報
【発明の開示】
【発明が解決しようとする課題】
【０００６】
しかしながら、従来においては、フィルターユニットをウェザーカバーにネジ止めしているので、フィルターの交換作業の際には、その都度工具を準備し、ネジの着脱作業を行わなくてはならず面倒であった。
【０００７】
本発明は、以上のような課題を解決するためになされたものであり、その目的は、フィルター交換作業の便宜を図るウェザーカバーを提供することにある。
【課題を解決するための手段】
【０００８】
以上のような目的を達成するために、本発明に係るウェザーカバーは、建造物側壁の通気口の周囲を囲むように外壁側面に取り付けられ、取付時に下方を向く矩形形状の開口端と前記通気口との間に通風路を形成する本体部と、前記通気口から建造物内への異物進入を阻止する平板形状のフィルターユニットと、前記フィルターユニットを着脱可能に保持する枠体と、前記本体部に取り付けられた状態の前記枠体を保持することで前記枠体を前記本体部の開口端近傍に配設するワンタッチ式保持機構とを有し、前記ワンタッチ式保持機構は、前記枠体の一部を前記本体部に取り付ける枠固定機構と、係止することで前記枠体を前記本体部に取り付けられた状態にすると共に、ユーザにより開放操作されることに応じて係止していた前記枠体を開放する取付部とを有し、ユーザの前記操作部材に対する開放操作により前記フィルターユニットを着脱可能な状態にすることを特徴とする。
【０００９】
また、前記枠固定機構は、前記枠体を前記本体部への取付位置と前記フィルターユニットの交換作業位置との間で回動可能に前記本体部に固定する固定器具を有し、前記取付部は、可暁性を有する部材で形成され、前記本体部開口端近傍において前記枠固定部の配設面と対向する面に配設された係止片を有し、前記枠体は、係止状態の前記枠体を開放する方向に前記係止片を撓ませる開放操作により前記ワンタッチ式保持機構から開放されることを特徴とする。
【００１０】
また、前記枠体は、前記フィルターユニットの着脱方向に沿った枠面に設けられた１対のスライド溝を有し、前記フィルターユニットは、前記スライド溝に嵌装されることを特徴とする。
【００１１】
また、前記本体部又は前記枠体に前記フィルターユニットを着脱可能に連結する落下防止機構を有することを特徴とする。
【００１２】
前記落下防止機構は、前記本体部又は前記枠体に固定される固定部と、前記フィルターユニットの一部分を着脱可能に係止する係止部とを有することを特徴とする。
【００１３】
また、前記フィルターユニットは、相対的に細かな異物を除去するフィルターと、前記フィルターを狭持し、相対的に大きな異物を除去する１対の網体とを有することを特徴とする。
【発明の効果】
【００１４】
本発明によれば、フィルターユニットをワンタッチ式に着脱できるように構成したので、フィルターの交換を簡便に実施させることができる。
【発明を実施するための最良の形態】
【００１５】
以下、図面に基づいて、本発明の好適な実施の形態について説明する。
【００１６】
図１は、本発明に係るウェザーカバーの一実施の形態を示した全体斜視図である。本実施の形態におけるウェザーカバー２は、天板４と側板６と下板を主要部としてウェザーカバーの本体部（以下、単に「本体」ともいう）が形成され、天板４と側板６の各フランジ９をフィクスプレートにて接合してビルや家屋等の建造物側壁に開けられた通気口を囲むように建造物外壁側面にネジ止めされる。ウェザーカバー２の本体部は、建造物側壁の通気口と、取付時に下方を向く矩形形状の開口部との間に通風路を形成する。ウェザーカバー２自体の建造物の取付に関しては、本実施の形態の特徴ではなく従来と同様の方法にて取り付ければよい。
【００１７】
図２は、図１に示したウェザーカバー２の側断面図と、天板４とスライド枠１０との係合部分の拡大図であり、図３は、図１に示したウェザーカバー２の底面図と、天板４とスライド枠１０との係合部分の拡大図である。また、図４は、図１に示したウェザーカバー２の正面図及び本体角部であって側板６、スライド枠１０及びフィルターユニット１２の係合部分を示す一部切欠図である。また、図５は本実施の形態におけるフィルターユニット１２の斜視図、図６は本体から取り外した状態のスライド枠１０の斜視図、図７はフィルターユニット１２が装着された状態のスライド枠１０の斜視図である。以下、これらの図を用いて本実施の形態におけるウェザーカバー２の構成について説明する。
【００１８】
本実施の形態におけるウェザーカバー２は、本体とスライド枠１０とフィルターユニット１２とで構成される。本体は、建造物側壁の通気口から雨水が浸入しないようにするために、天板４を湾曲させることで通気口の通風路を下方に向ける。その下方を向いた開口部分近傍にフィルターユニット１２が配設されることになるが、本実施の形態では、スライド枠１０によってフィルターユニット１２が本体に着脱可能に取り付けられる。
【００１９】
図３に示すように、スライド枠１０の主要部をなす枠は、本体開口部と同じ矩形形状であって開口部内に多少のクリアランスを確保できる程度の大きさで形成される。その枠には、フィルターユニット１２が装着される。スライド枠１０は、建造物側近傍において各側板６の対向する位置の外側から取付ネジ１４にて取り付けられる。作用については追って詳述するが、スライド枠１０は、双方の取付ネジ１４を結ぶ線を回転軸として回動可能に取り付けられる。
【００２０】
次に、天板４とスライド枠１０とが係合する部分において説明する。図２，３に示すように、まず天板４の内壁面には、断面をＬ字形状とした台座１６が接合されており、この台座１６にスライド枠１０の取付金具１８が固定される。取付金具１８は、可暁性を有する部材、例えばステンレスを薄平板形状にし、その平板形状を折り返すように屈曲させて形成される。
【００２１】
一方、スライド枠１０には、天板４と係合する辺に沿って枠の下面の天板４側辺に沿って取っ手２０が設けられている。取っ手２０は、本体に取り付けられた状態のスライド枠１０を交換作業者が引き下げる際に把持される。但し、取っ手２０の取付金具１８の取付位置部分は、取付金具１８に対する開放操作をしやすいように広めに切除されている。更に、スライド枠１０には、本体に取り付けられた状態において取付金具１８をスライド枠１０を下方から支持させるために開口部２２が形成されている。
【００２２】
ここで、図５を用いてフィルターユニット１２の構成について説明すると、フィルターユニット１２は、フィルター２４と、フィルター２４を狭持する１対の網体で構成される。フィルター２４は、塵埃等相対的に細かな異物を除去する。１対の網体は、ゴミ等相対的に大きな異物を除去する網である。１対の網体のうちフィルター２４の下方に位置する網体は防虫網２６であり、上方に位置する網体は防鳥網２８である。防虫網２６は、防鳥網２８より相対的に網目が小さくゴミ等の外部からの侵入を阻止する。防鳥網２８は、防虫網２６より相対的に網目が大きく、また強い強度を持つ。フィルター２４、防虫網２６及び防鳥網２８の素材や仕様は、ウェザーカバー２の大きさや設置箇所の環境等によって適宜決定すればよい。また、１対の網体は、フィルター２４を間に挟めるように構成されていればよい。本実施の形態では、各網体の１辺のみを連結してフィルター２４を挟み入れるように形成した。更に、防鳥網２８には、リング３０が取り付けられている。
【００２３】
次に、スライド枠１０の構成と、スライド枠１０とフィルターユニット１２との関係について図４，６，７を用いて説明する。なお、スライド枠１０は、基本的には本体に常時取り付けたまま使用されるが、取付ネジ１４を取り外せば本体から取り外すことができる。
【００２４】
図６に示すように、スライド枠１０の主要部をなす枠本体３２において側板６に沿った１対の枠には、それぞれその枠の外辺に沿って立上り部３４が立設している。各立上り部３４の建造物側端近傍には、取付ネジ１４用のネジ孔３６が形成されている。立上り部３４は、取付ネジ１４によって側板６に対して回動可能に取り付けられる。これにより、スライド枠１０は、本体に対して開閉可能に取り付けられることになる。また、図７に示すように、枠本体３２の上面には、各立上り部３４に沿って鉤状に屈曲された溝形成板３８が接合されている。この折れ曲がった先の部分と枠本体３２の上面によってスライド溝４０が形成される。フィルターユニット１２は、このスライド溝４０に誘導されてスライド枠１０に脱着される。そして、枠本体３２の建造物と対向する枠部分の内側には、スライド溝４０に挿着されたフィルターユニット１２のストッパーとなるフィルターユニット受け４２が形成される。フィルターユニット受け４２は、フィルターユニット１２を受け入れる溝を有しているが、スライド溝４０及びフィルターユニット受け４２の各溝幅は、フィルターユニット１２の厚みを考慮して、フィルターユニット１２の脱着が円滑かつ確実にできるように設定される。
【００２５】
このフィルターユニット受け４２の上面には、引張りばね４４の一端が取り付けられており、この引張りばね４４の他端の先端には、フック４６が設けられている。フック４６は、フィルターユニット１２の防鳥網２８に取り付けられているリング３０に引っ掛けられる。フィルターユニット１２は、スライド枠１０に挿着されたとき、１対のスライド溝４０とフィルターユニット受け４２とで３方向から位置決めされ、そして、引張りばね４４が延ばされた状態でフック４６がリング３０に引っ掛けられることにより、フィルターユニット１２は、引張りばね４４の弾性復元力でスライド枠１０に固定される。そして、すでに説明したように、枠本体３２の天板４側辺の下方には取っ手２０が設けられているが、この取っ手２０の中央部分は、開口部２２を貫通して突出している取付金具１８が操作しやすいように取っ手２０の中央部分を一部切り欠いている。
【００２６】
本実施の形態では、以上のようにスライド溝４０にフィルターユニット１２が挿着されることでスライド枠１０に嵌装されることになるが、このスライド枠１０及びフィルターユニット１２と、本体との係合関係について更に図４を用いて説明する。
【００２７】
図４に示すように、側板６の内面には、先端が側板６内壁と略平行となるように鉤状に屈曲された立上り部受け板４８が接合されており、その立上り部受け板４８の屈曲された先の部分と側板６内壁とで、スライド枠１０の立上り部３４を挟む折り返し部５０が形成される。スライド枠１０が開閉可能に本体に取り付けられることになるため、スライド枠１０と側板６との間に若干のクリアランスを確保することになるが、折り返し部５０を形成することによってこの隙間からの虫等の侵入を阻止することができる。なお、図４では、一方の側面を用いて本体側板６とスライド枠１０との係合関係について説明したが、他方の側板６側も同様に形成する。
【００２８】
本実施の形態におけるウェザーカバー２は、以上の構成を有しているが、続いて、フィルターユニット１２の脱着方法について説明する。まず最初に、フィルターユニット１２が本体に取り付けられている状態から取り外す交換作業者による操作について説明する。
【００２９】
図８は、スライド枠１０と取付金具１８との係合部分の要部拡大図であって、図８（ａ）は側方から、図８（ｂ）は下方からそれぞれ見たときの図である。まず、取付金具１８は、図８（ａ）に示したように折り返し部分の先端でスライド枠１０を下方から支持しており、フィルターユニット１２をウェザーカバー開口端側の所定位置に取り付けた状態に維持している。ここで、フィルターを交換するためにフィルターユニット１２を取り外したい場合、交換作業者は、図８（ａ）に示したように取付金具１８に対して矢印Ａ方向に力を加える。本実施の形態では、交換作業者の指の腹で矢印Ａ方向に付勢することを想定している。この付勢力によりスライド枠１０を支持している取付金具１８の部位は狭められる。
【００３０】
図９は、図８と同様の図であり、取付金具１８が狭められた状態を示した図である。図９に示したように、取付金具１８が狭められたことによりスライド枠１０を支持していた取付金具１８の先端部分が開口部２２を通り抜ける位置までくると、交換作業者は取っ手２０を持って図１０に示したように下方（矢印Ｂ方向）に引き下げる。これにより、スライド枠１０は、図１０において破線で示した取付状態の位置１０ａから各取付ネジ１４を結ぶ線を回転軸としてフィルターユニット１２を交換する作業位置１０ｂまで回動する。作業位置１０ｂは、スライド枠１０の開状態の限界位置であるが、この位置１０ｂは、スライド枠１０が側板６の内面に接合された立上り部受け板４８の厚み部分に当接する位置である。これは、ストッパーを取り付けていないため、スライド枠１０が設計上、立上り部受け板４８と当接する位置まで開くことになる。従って、開状態の限界位置を所望の位置、換言すると交換作業時におけるスライド枠１０の開く角度を決めたい場合には、側板６の内面等の所望位置にストッパーを配設するようにしてもよい。
【００３１】
なお、図９に示したようにスライド枠１０が取付金具１８から開放されると、スライド枠１０は、自重や本体とのクリアランス等の関係によって自然に下がる可能性がある。このような場合、交換作業者は、取っ手２２を持って引き下げるのではなく、取付金具１８を操作した手の他の指や手の腹若しくは他方の手で取っ手２２を下方から支持することになる。
【００３２】
スライド枠１０が引き下げられた場合でも、フィルターユニット１２は、引張りばね４４がリング３０に連結されているためスライド枠１０から飛び出さない。図１０に示したスライド枠１０ｂの交換作業位置まで引き下げると、交換作業者は、例えば一方の手でフィルターユニット１２を持ち、他方の手でリング３０からフック４６を外す。そして、交換作業者は、図１１に示したように矢印Ｄ方向にフィルターユニット１２を引き出す。これにより、スライド溝４０に装着されていたフィルターユニット１２をスライド枠１０から取り出すことができる。フィルターユニット１２は、図５に示した構造を有しているので、網体２６，２８を開いてフィルター２４を交換すればよい。
【００３３】
続いて、取り外したフィルターユニット１２を本体に取り付ける操作について説明するが、基本的には取り外す場合と逆の作業を行えばよい。
【００３４】
すなわち、フィルター２４が交換されたフィルターユニット１２を所定の向きにスライド溝４０に挿入して図１１に示した矢印Ｄの逆方向に押し込む。そして、フィルターユニット１２がフィルターユニット受け４２に当接することでスライド枠１０の奥まで挿入されたことを確認できると、交換作業者は、引張りばね４４のフック４６をリング３０に引っ掛ける。そして、スライド枠１０を図１０に示した矢印Ｃ方向に押し上げる。本体に装着される程度に押し上げられたスライド枠１０は、ストッパー５２と当接することによって回動が抑制されるが、ストッパー５２に当接する直前には、開口部２２を貫通した取付金具１８がスライド枠１０をラッチする。これにより、スライド枠１０は、本体に取り付けられ、交換作業が終了する。このようにして、ウェザーカバー２が使用可能な状態になる。
【００３５】
本実施の形態においては、以上説明したように、取付金具１８に対する操作のみでフィルターユニット１２を取り外し、フィルター２４の交換を可能にすることができ、また、フィルター２４交換後のフィルターユニット１２が挿着されたときスライド枠１０を押し上げることでだけフィルターユニット１２を本体の所定位置に取り付けることができる。
【００３６】
本実施の形態によれば、このようにしてフィルターユニット１２をネジ止めすることなくワンタッチ式に着脱可能としたので、フィルター２４の交換を工具を用いることなく極めて容易に行わせることができ簡便である。また、交換作業時に取付ネジを紛失してしまうこともなくなる。
【００３７】
ところで、上記説明では、各図面を用いて本実施の形態におけるウェザーカバー２の構造を説明した。しかし、本発明は、この構造や形状に限定されるものではなく、様々な変形例が考えられる。例えば、本実施の形態では、交換作業時におけるフィルターユニット１２のスライド枠１０からの飛び出しを回避する落下防止機構を、スライド枠１０に一端が固定された引張りばね４４及びフック４６とフィルターユニット１２に設けたリング３０とで形成した。ただ、引張りばね４４の一端は、スライド枠１０ではなく本体に固定するようにしてもよい。また、落下防止機構は、スライド枠１０が開状態のときにフィルターユニット１２がスライド枠１０から飛び出さないように構成すればよい。従って、例えば、スライド枠１０の枠内において立設する１乃至複数本の立設棒を配設し、フィルターユニット１２装着時に網体２６，２８及びフィルター２４を貫通させるように構成してもよい。つまり、立設棒でフィルターユニット１２を串刺しにすることでスライド枠１０の開状態時に立設棒を網体に係合させる。
【００３８】
また、本実施の形態では、ウェザーカバー２をステンレス製とし、またウェザーカバー２の開口部の形状を一辺が３０ｃｍ程度の正方形を想定していた。このため、取付金具１８を枠の一辺のほぼ中央の１箇所に設けるよう構成しても、スライド枠１０を確実に支持することは可能である。ただ、ウェザーカバー２、特に支持するスライド枠１０の材質や大きさによっては、取付金具１８を枠一辺につき複数箇所に設けるよう構成してもよい。また、本実施の形態では、枠一辺全体にＬ字形状の取っ手２０を設けたが、取付金具１８の位置、スライド枠１０の大きさ等によって取っ手２０の形状や取付位置を決めるようにするのが好適である。
【図面の簡単な説明】
【００３９】
【図１】本発明に係るウェザーカバーの一実施の形態を示した全体斜視図である。
【図２】図１に示したウェザーカバーの側断面図及び天板とスライド枠との係合部分の拡大図である。
【図３】図１に示したウェザーカバーの底面図及び天板とスライド枠との係合部分の拡大図である。
【図４】図１に示したウェザーカバーの正面図及び側板、スライド枠及びフィルターユニットが係合する本体角部を示した一部切欠図である。
【図５】本実施の形態におけるフィルターユニットの斜視図である。
【図６】本実施の形態において本体から取り外した状態のスライド枠の斜視図である。
【図７】本実施の形態においてフィルターユニットが装着された状態のスライド枠の斜視図である。
【図８】（ａ）は取付金具操作前のスライド枠と取付金具との係合部分を側方から、（ｂ）は下方からそれぞれ見たときの要部拡大図である。
【図９】（ａ）は取付金具操作後のスライド枠と取付金具との係合部分を側方から、（ｂ）は下方からそれぞれ見たときの要部拡大図である。
【図１０】本実施の形態においてスライド枠の回動範囲を示した要部の概略側面図である。
【図１１】本実施の形態においてフィルターユニットを本体から取り外すときのウェザーカバーを示した斜視図である。
【符号の説明】
【００４０】
２  ウェザーカバー、４  天板、６  側板、８  下板、９  フランジ、１０  スライド枠、１２  フィルターユニット、１４  取付ネジ、１６  台座、１８  取付金具、２０  取っ手、２２  開口部、２４  フィルター、２６  防虫網２６、２８  防鳥網、３０  リング、３２  枠本体、３４  立上り部、３６  ネジ孔、３８  溝形成板、４０  スライド溝、４２  フィルターユニット受け、４４  引張りばね、４６  フック、４８  立上り部受け板、５０  折り返し部、５２  ストッパー。
【図１】
2008111641.tif 000003
【図２】
2008111641.tif 000004
【図３】
2008111641.tif 000005
【図４】
2008111641.tif 000006
【図５】
2008111641.tif 000007
【図６】
2008111641.tif 000008
【図７】
2008111641.tif 000009
【図８】
2008111641.tif 000010
【図９】
2008111641.tif 000011
【図１０】
2008111641.tif 000012
【図１１】
2008111641.tif 000013